(57)【要約】【課題】少ないユニットで製造が簡単であり、ＣＤ、装飾品、化粧品、結婚衣裳、クリスマス・デコレーション、文具等の収納に応用可能で、全体的な外観の質感が高く、セット・パッケージングが大変簡単なヒンジ式物品収納装置の構造を提供する。【解決手段】上部が十字に区分けされ、四つのシート１１が設けられた展開可能な板体１を有する。各シート１１は物品収納部２を設け、四つのシート１１は相互に隣り合うシート１１間に三つの連続するヒンジ３を設ける。最初のシート１１と最後のシート１１とは分離状態を呈し、ヒンジ３は一つは内側へ、一つは外側へと正反対に折れ曲がり交錯配置される。板体１は折れ曲がり四つのシート１１が交わって重なり、物品収納部２は内側で二つずつ相対し物品をセットとして収納する。【選択図】図１
0003131424.tif 000002
【実用新案登録請求の範囲】
【請求項１】
ヒンジ式物品収納装置の構造において、
上部に区分けされた四つのシートと、各シート毎に溝スペースを設け、内部にＣＤ収納部、透明板、プラスチックカバー、多格子状、または単一格子状のいずれか一つの形状より構成可能な物品収納部を構成するための内シートとが設けられた展開可能な板体を有し、
前記四つのシートは最初のシートと最後のシートとが分離された状態を呈し、互いが隣接する間に三つの連続するヒンジを設け、該ヒンジは一つが内側に、一つが外側へと正反対に折れ曲がり交錯配置され、板体が折り曲げられ四つのシートが互いに重なり合う状態を呈し、前記物品収納部が内側で二つずつ相対し、物品のセット収納が便利となるようにし、パッケージング・コストを節約し製品の質感を高めると同時に、印刷ディスプレイシートを直接表面に貼り付け可能であることを特徴とするヒンジ式物品収納装置の構造。
【請求項２】
前記ヒンジは、一つが隣接するシート表面の接合折れ目上の内側折れ部に平らに貼られて設けられ、もう一つが山型を呈し隣接するシートの側辺の外側折れ部に折れ曲げられて貼られたものより構成されることを特徴とする請求項１に記載のヒンジ式物品収納装置の構造。
【請求項３】
ヒンジ式物品収納装置の構造において、
上部に十字に区分けされた四つのシートと、各シート毎にＣＤ収納部とを設け、前記四つのシートは隣接するシートとの間に三つの連結するヒンジを設け、最初及び最後のシートは分離状態を呈し、該ヒンジは一つが内側へ、一つが外側へと折れ曲がり正反対に交錯配置される展開可能な板体を有し、
ＣＤ収納部は内側で二つずつ相対しＣＤをセットとして収納することが便利となり、さらにパッケージングのコストを節約し製品質感を高めることが可能であると同時に、印刷したディスプレイページを直接表面に貼り付けることが可能となる実用的な構造を持つことを特徴とするヒンジ式物品収納装置の構造。
【請求項４】
各シート毎に一つのＣＤ収納部を設けることを特徴とする請求項３に記載のヒンジ式物品収納装置の構造。
【請求項５】
各シート毎に複数のＣＤ収納部を設けることを特徴とする請求項３に記載のヒンジ式物品収納装置の構造。
【考案の詳細な説明】
【技術分野】
【０００１】
本考案は物品収納装置についての改良に関し、特に少ないユニットで製造が簡単、ＣＤ、装飾品、化粧品、結婚衣裳、クリスマス・デコレーション、文具等の収納に応用可能で、全体的な外観の質感を高め、セット・パッケージングが大変簡単であるヒンジ式物品収納装置の構造に関する。
【背景技術】
【０００２】
従来のＣＤ収納には硬質プラスチック製が採用されている。対向に組み合わせ、持ち上げて開閉する透明ケースが主に用いられ、ケース内には一片の挟み板が配置され、挟み板にはＣＤを収納するための溝が設けられている。収納する位置の周縁には容易に取出しができるよう、指を差し入れる窪みが設けられ、その中心には弾性を持つ嵌め込み片を設ける。嵌め込み片はＣＤの中心孔に適するように設けられた短円柱で、底部は浅く平らで頂上端はわずかにカーブを描いて広がっており、ＣＤを収納する際に外れ落ちてしまうのを防ぐ。この他、広がった頭部には菊花状に開かれた溝を設け、圧力を受けた時、頭部がわずかに内部に縮まり、前記嵌め込み片に嵌め込まれたＣＤがスムーズに取り出せるようにする。
【０００３】
前記シングルＣＤの収納はユニットが多いだけでなく、外観はプラスチックで構成され、造形タイプも長く変わることがなく、消費を促すような品質感も明らかに減少している。さらにそれを使用する際、各ＣＤケース内にディスプレイページや歌詞カードを挟むため、ケースカバーの片方をＬ字形として設け、一方のケース本体をくぼみ形へと成形し直さなければならず、組立時に個々に取り付けなければならなかったため、非常に面倒であった。
【０００４】
とりわけＣＤがシリーズで発売される時はケース内に個々に内シートを装入する他、セットし終わった後の外観にも装飾・印刷パッケージングを行わなければならず、さらにパッケージング内容を説明するため、その外部に別途ディスプレイシートを設けなければならず、包装上において大変なコスト高となり、質感を高めることもできなかった。
また、ＣＤを収納するケースも単一の用途を有するのみで、ＣＤを収納するために用いる以外、再利用することができないことも欠点の一つであった。
【考案の開示】
【考案が解決しようとする課題】
【０００５】
これを鑑み、本発明の考案者は上記の欠点について深く研究改善を試み、多方面にわたる実験改良を進めた後、本考案を生み出すに至った。
本考案の主な目的は少ないユニットで製造が簡単であり、ＣＤ、装飾品、化粧品、結婚衣裳、クリスマス・デコレーション、文具等の収納に応用可能で、全体的な外観の質感を高め、セット・パッケージングが大変簡単であるヒンジ式物品収納装置の構造を提供することである。
【課題を解決するための手段】
【０００６】
前述の目的を達成するため、本考案のヒンジ式物品収納装置の構造は主に上部が十字に区分けされ、四つのシートが設けられた展開可能な板体を有する。各シートは物品収納部を設け、前記四つのシートは相互に隣り合うシート間に三つの連続するヒンジを設ける。最初のシートと最後のシートとは分離状態を呈し、ヒンジは一つは内側へ、一つは外側へと正反対に折れ曲がり交錯配置される。板体は折れ曲がり四つのシートが交わって重なることになり、これより物品収納部は内側で二つずつ相対し物品をセットとして収納することが便利となる。さらにパッケージングのコストを節約し製品質感を高めることができると同時に、印刷したディスプレイページを直接その表面に貼り付けることが可能となる実用的な構造を持つ。
本考案の構成内容およびその他の特徴は、以下図面と合わせた実施の形態についての詳細な説明を閲読することでより明確となる。
【考案を実施するための最良の形態】
【０００７】
図１から図５は本考案の一実施例によるヒンジ式物品収納装置の構造を示す。その優れた特徴をより良く説明するため、先ずはＣＤパッケージングにおける応用を例として取り上げ説明する。
本実施例は主にその上部に十字に区分けされた四つのシート１１と、各シート１１毎にＣＤ収納部２とを設ける展開可能な板体１を有する。前記四つのシート１１は隣接するシートとの間に三つの連結するヒンジ３を設け、最初と最後のシート１１間は分離状態を呈し、ヒンジ３は一つが内側へ、一つが外側へと折れ曲がり正反対に交錯配置される。
前記ヒンジ３は一つが隣接するシート１１表面の接合折れ目１２上の内側折れ部３１に平らに貼られて設けられ、もう一つが山型を呈し隣接するシート１１の側辺１３の外側折れ部３２に折り曲げられて貼られたものより構成される。
【０００８】
これより、板体１の各シート１１上にＣＤ収納部２を設け、セットとしてのＣＤ収納が可能となることでパッケージングを容易にすることができる。またその折れ曲がりは四つのシート１１が交錯し重なり合う状態を呈し、体積も通常のセットＣＤ製品と同じようになる。しかしながら、内側のＣＤ収納部２はヒンジ３が一つは内側へ、一つは外側へと正反対に折れ曲がり交錯し配置された状態を呈するため、二つずつ相対することとなり取り出しが便利となる。それと同時にその組み立て時において板体１の表面を利用し、ディスプレイシート４を直接印刷して貼ることができるようになるため、全体的なパッケージングのコストの節約を行うことが可能となり、従来の多岐にわたる組立および個々にシートを挟んでいく、といった面倒な作業を減少できるという長所を有する。
【０００９】
さらに、本考案の実施例において板体１は顧客のニーズに従い、異なる紙板を採用して製造し、内側にプラスチック製のＣＤ収納部２を貼り付けることが可能である。こうして従来のプラスチック製の外形を有するだけのただの板体から脱却し、ＣＤ収納時の外観と質感を全体的に高めるため大いに役立つものとなる。その構造設計は簡素で便利であり、生産において分け目の型をつけるだけで製造することができるため、鋳型にかかる費用をプラスチック製品に比べ大幅に節約することが可能である。
図１及び図５は実施における板体１のサイズとＣＤ収納部２との設計について示す。例えば各シート１１に一個、あるいは四個、更には三〜五個の（図示せず）のＣＤ収納部２を設ける等異なるニーズに従っていつでも変動することが可能で、製品パッケージング上、従来品よりもさらに適宜に利用することができる。
【００１０】
この他、図６から図８に示すように、本考案の他の実施例はさらに広範な用途を有し、その実施時においても各シート１１に予め溝スペース１６を設け、その内部に異なる造型デザインの内シート１５を埋め込むことができる。内シート１５は前述のプラスチック製ＣＤ収納部２以外に透明板、プラスチックカバー、多格子状、または単一格子状といった形状で作成することもできる。さらに用途にかかわらず、フック１７を加設し装飾品を引っ掛けたり、簡単につまんで開けられるような切欠き１８を設け、図のように簡単に収納することもできるなど、応用する際に便利となる。
【００１１】
上記構造の組合せ後、図８に示すようにＣＤ、スター写真、おまけのクリスマス・デコレーション（またはその他小さな装飾品）に関連するものをセットでパッケージングする等、ＣＤ収納に用いる他、装飾品、化粧品、結婚衣裳、クリスマス・デコレーション、文具等の収納に単独または合わせて用いることができ、収納構造の応用範囲をより多元的にすることが可能で、製品全体の内容をより充実させてコレクション価値を高めることができる。
【００１２】
よって、従来のＣＤ単一収納ケースの製造使用上における欠点を確実に解決し、本考案の実施例による製品が進歩性および産業上の利用価値を備え、その機能が従来品をはるかに勝り、各種小物類の収納やコレクションに広く用いられるようにするため、法に基づき本考案の特許申請を行うものとする。
上述の具体的な実施の形態は本考案の目的、特徴および効果を詳しく説明するためのものである。本分野の技術を熟知する技術者が上述の説明に基づく本考案の具体的な実施の形態に対し変更や修正を加えたものは、本質的に本考案の主旨を脱するものではなく、全て本考案の実用新案登録請求の範囲に含まれるべきであることを述べておく。
【図面の簡単な説明】
【００１３】
【図１】本考案の一実施例によるヒンジ式物品収納装置の構造の板体の斜視図である。
【図２】本考案の一実施例によるヒンジ式物品収納装置の構造のシート間に連続して設けられたヒンジについて説明する模式図である。
【図３】本考案の一実施例によるヒンジ式物品収納装置の構造のシート面が重なり合っている状態を示す斜視図である。
【図４】本考案の一実施例によるヒンジ式物品収納装置の構造のシート面が展開された状態を示す斜視図である。
【図５】本考案の他の実施例によるヒンジ式物品収納装置の構造の斜視図である。
【図６】本考案のさらに他の実施例によるヒンジ式物品収納装置の構造の板体の斜視図である。
【図７】本考案のまたさらに他の実施例によるヒンジ式物品収納装置の構造の分解斜視図である。
【図８】本考案のまたさらに他の実施例によるヒンジ式物品収納装置の構造のシート面が展開された状態を示す斜視図である。
【符号の説明】
【００１４】
１：板体、１１：シート、１２：接合折れ目、１３：側辺、１５：内シート、１６：溝スペース、１７：フック、１８：切欠き、２：収納部、３：ヒンジ、３１：内側折れ部、３２：外側折れ部、４：ディスプレイシート
【図１】
0003131424.tif 000003
【図２】
0003131424.tif 000004
【図３】
0003131424.tif 000005
【図４】
0003131424.tif 000006
【図５】
0003131424.tif 000007
【図６】
0003131424.tif 000008
【図７】
0003131424.tif 000009
【図８】
0003131424.tif 000010